(57)【要約】  【課題】実際の試料注入を受けてデータ収集開始信号をネットワークを介して検出器に送り、検出器ではこの信号を受けて検出データに保持時間のタイムスタンプを実行する場合に、ネットワークで伝送遅延が大きいと検出データと保持時間との関係にずれが生じ、正確なクロマトグラムが作成できなくなる。  【解決手段】分析開始前にＳＮＴＰを用いて内蔵時計７１、６４の時刻合わせを行い、分析時にコントローラ７は内蔵時計７１により試料注入時刻を取得しデータ収集開始信号に付加してＰＤＡ検出器６へ送る。タイムスタンプ部６２はこの信号を受けた現在時刻を内蔵時計６４から取得し、付加データ中の時刻情報と現在時刻との時間差を計算して、その時間差に応じて保持時間タイマ６５の初期時間をセットし計時を開始する。これによって、実際の試料注入時点を基準ゼロとした真の保持時間と保持時間タイマ６５の計時とが一致する。【選択図】  図１
2005221405.tif 000002
【特許請求の範囲】
【請求項１】
分離カラム、該分離カラムに移動相を流す移動相供給部、及び、前記分離カラムの手前で移動相中に試料を注入する試料注入部を含み、該試料が分離カラムを通過する過程で該試料に含まれる各種成分を時間的に分離するための分離分析部と、該分離分析部により分離された成分を順次検出する検出部と、該検出部により得られた検出データの全て又は一部に保持時間データを付加するタイムスタンプ部と、を具備し、前記分離分析部は通信手段を介して試料注入部による試料注入の実行を示す試料注入信号をタイムスタンプ部へと送り、該タイムスタンプ部は受け取った試料注入信号に基づいて保持時間データを生成するクロマトグラフ分析装置において、
a)分析実行に先立って前記分離分析部に設けられた第１時計とタイムスタンプ部に設けられた第２時計との時刻を合わせる時計同期手段と、
b)分離分析部にあって、試料注入の実行時に第１時計により試料注入時刻を取得し、この試料注入時刻データを試料注入信号とともに通信手段を通してタイムスタンプ部に送る試料注入情報送信手段と、
c)タイムスタンプ部にあって、前記試料注入時刻データを試料注入信号とともに受け取ったときにその時点での時刻を第２時計により取得し、該時刻と前記試料注入時刻データによる時刻との時間差を算出する時間差算出手段と、
d)該時間差算出手段により算出された時間差を通信手段における信号の時間遅延量とみなして、該時間遅延量を考慮して実際の試料注入時点を基準とした保持時間データを生成する保持時間データ生成手段と、
を備えることを特徴とするクロマトグラフ分析装置。
【請求項２】
前記時計同期手段はＳＮＴＰ(Simple Network Time Protocol)を用いて時刻合わせを行うものであって、分離分析部とタイムスタンプ部のいずれか一方にＳＮＴＰサーバ機能、他方にＳＮＴＰクライアント機能を持たせたことを特徴とする請求項１に記載のクロマトグラフ分析装置。
【発明の詳細な説明】
【技術分野】
【０００１】
本発明は、液体クロマトグラフやガスクロマトグラフ等のクロマトグラフ分析装置に関する。
【背景技術】
【０００２】
液体クロマトグラフ等のクロマトグラフ分析装置では、横軸に経過時間、縦軸に信号の相対強度をとったクロマトグラムが作成される。定性分析を行う際には、既知の成分の保持時間（リテンションタイム）を基準にして、クロマトグラムに出現しているピークを同定する。したがって、インテグレータや保持時間管理機能を有する検出器などのデータ収集装置では、オートサンプラやオートインジェクタ等の試料注入装置による実際の試料注入に応じて発せられる試料注入信号を受け取り、これに応じて保持時間を一旦ゼロにリセットして計時を開始するとともに、採取した検出データに保持時間データを付加する（いわゆるタイムスタンプを実行する）ようにしている（例えば特許文献１参照）。従来のクロマトグラフ分析装置では、上記のような試料注入信号の授受には専用ケーブル等の結線が使用されている。
【０００３】
近年、機器分析の分野でもネットワーク化が急速に進展しており、例えばクロマトグラフ分析装置でも該装置を構成する複数の装置ユニット間の一部又は全ての電気信号の授受を例えばイーサネット（登録商標）等のローカルネットワークを利用して行うことが考えられる。こうしたネットワークを利用する利点は単に配線が煩雑になることを避ける以外に、配線が標準化でき拡張性や柔軟性を持たせることができる点にある。このようなネットワークでは、必要に応じて、ルータ、ブリッジ、スイッチング・ハブ等の中継装置が設置される場合があり、ネットワークが大規模になるほどネットワーク内で授受されるデータがこうした中継装置を通過する機会が増加する。
【０００４】
クロマトグラフ分析装置においてネットワークを介して各ユニットを接続した場合、上述したように試料注入装置からタイムスタンプ機能を持つデータ収集装置に試料注入信号を送る際に中継装置を通過することによって、試料注入信号が時間的に遅延してデータ収集装置に到達する場合がある。しかも、この際の遅延時間は必ずしも一定ではなく、ネットワークシステムの構成等に依存して或いはネットワークの混み具合によって変化する可能性がある。こうした場合、データ収集装置が試料注入信号を受け取る時刻と実際に試料が注入された時刻との時間ずれが大きくなるため、検出データに付加される保持時間データの時刻ゼロの基準として上記のように時間遅延のある試料注入信号を用いると、結果として各ピークの出現位置と保持時間とがずれてしまい、最悪の場合、誤ってピークを同定するおそれがある。
【０００５】
【特許文献１】特開平１１−１１８７８１号公報（段落０００７〜００１０）
【発明の開示】
【発明が解決しようとする課題】
【０００６】
本発明はかかる課題を解決するために成されたものであり、その目的とするところは、クロマトグラフ分析を行うための各装置ユニットがネットワークのような通信手段を介して接続される場合に、該通信手段にて信号の時間遅延があってもデータ収集装置において実際の試料注入時点を基準とした正確なタイムスタンプを行うことができるクロマトグラフ分析装置を提供することにある。
【課題を解決するための手段】
【０００７】
上記課題を解決するために成された本発明は、分離カラム、該分離カラムに移動相を流す移動相供給部、及び、前記分離カラムの手前で移動相中に試料を注入する試料注入部を含み、該試料が分離カラムを通過する過程で該試料に含まれる各種成分を時間的に分離するための分離分析部と、該分離分析部により分離された成分を順次検出する検出部と、該検出部により得られた検出データの全て又は一部に保持時間データを付加するタイムスタンプ部と、を具備し、前記分離分析部は通信手段を介して試料注入部による試料注入の実行を示す試料注入信号をタイムスタンプ部へと送り、該タイムスタンプ部は受け取った試料注入信号に基づいて保持時間データを生成するクロマトグラフ分析装置において、
a)分析実行に先立って前記分離分析部に設けられた第１時計とタイムスタンプ部に設けられた第２時計との時刻を合わせる時計同期手段と、
b)分離分析部にあって、試料注入の実行時に第１時計により試料注入時刻を取得し、この試料注入時刻データを試料注入信号とともに通信手段を通してタイムスタンプ部に送る試料注入情報送信手段と、
c)タイムスタンプ部にあって、前記試料注入時刻データを試料注入信号とともに受け取ったときにその時点での時刻を第２時計により取得し、該時刻と前記試料注入時刻データによる時刻との時間差を算出する時間差算出手段と、
d)該時間差算出手段により算出された時間差を通信手段における信号の時間遅延量とみなして、該時間遅延量を考慮して実際の試料注入時点を基準とした保持時間データを生成する保持時間データ生成手段と、
を備えることを特徴としている。
【０００８】
本発明に係るクロマトグラフ分析装置では、分析に先立って時計同期手段が、分離分析部に設けられた第１時計とタイムスタンプ部に設けられた第２時計との時刻を合わせる。具体的な一態様として、時計同期手段はＲＦＣ(Request for Comments)２０３０で定義されているＳＮＴＰ(Simple Network Time Protocol)を用いて時刻合わせを行うものとすることができる。この場合、同一通信手段（ネットワーク）上に本クロマトグラフ分析装置とは別に時刻の基準となるＳＮＴＰサーバを設けてもよいが、より好ましくは、分離分析部とタイムスタンプ部のいずれか一方にＳＮＴＰサーバ機能、他方にＳＮＴＰクライアント機能を持たせた構成とするとよい。この時刻合わせは分析の前であればいつでもよく、例えば分析の合間に定期的又は非定期的に行ってもよいが、分析実行時における第１時計と第２時計の同期精度の点から言うとできるだけ分析の直前に時刻合わせを行うことが望ましい。
【０００９】
こうして第１時計と第２時計とが同期された状態で、分析の開始が指示されて試料注入部が移動相中に試料を注入すると、試料注入情報送信手段は、第１時計により試料注入実行が行われた時刻ｔaを読み取り、試料注入信号とともに試料注入時刻データを通信手段を介してタイムスタンプ部へと送る。いま、試料注入信号が通信手段を通ってタイムスタンプ部に到達するまでにｔdだけの時間遅延が発生したものとする。第１時計と第２時計とは同期しているから、時間差算出手段が試料注入信号を受け取ったときに第２時計から読み取る時刻は、ほぼｔa＋ｔdとなっている筈である。したがって、その第２時計の読み取り時刻と試料注入時刻データによる時刻との時間差はｔd、つまり通信手段における信号の時間遅延量となる。
【００１０】
そこで、保持時間データ生成手段はこの時間遅延量を考慮して、実際の試料注入時点を基準とした保持時間データを生成する。具体的には、タイムスタンプ部が試料注入信号を受け取った時点からみれば、試料注入部によって実際に試料注入が実行されたのはｔdだけ過去のことである。したがって、実際の試料注入時点を基準、例えば保持時間ゼロとするためには、タイムスタンプ部が試料注入信号を受け取った時点で保持時間をゼロにリセットするのではなく、保持時間の計時をｔdにセットして、そこから計時を開始すればよい。これによって、通信手段における信号の時間遅延量の大小に拘わらず、実際に試料注入が実行された時点を基準にした正確な保持時間データを検出データに付加することができる。
【００１１】
なお、実際の装置の形態例としては、分離分析部が、移動相供給部、試料注入部、さらには分離カラムの温度を制御するカラムオーブンなどの動作を制御する制御部を含み、この制御部が通信手段であるネットワークに接続されていて、試料注入信号はこの制御部からネットワークに送信される構成とすることができる。また、移動相供給部、試料注入部、カラムオーブンなどがそれぞれ個別にネットワークに接続された構成としてもよい。一方、タイムスタンプ部は検出器と一体に構成することができるほか、検出器に直結されたインテグレータ等の他のデータ収集装置と一体に構成してもよい。
【発明の効果】
【００１２】
本発明に係るクロマトグラフ分析装置によれば、検出器やデータ収集装置に含まれるタイムスタンプ部に対してネットワークのような通信手段を介して送信される試料注入信号に時間遅延が生じても、タイムスタンプ部ではこの時間遅延を補正して、検出データに対し実際の試料注入時点を基準とする正確な保持時間データを付加することができる。したがって、こうしてタイムスタンプされた検出データを利用してクロマトグラムを作成すると、或る成分の保持時間においてその成分に由来するピークが正確に出現するので、ピークを誤りなく同定することができる。
【発明を実施するための最良の形態】
【００１３】
以下、本発明に係るクロマトグラフ分析装置の一実施例として、フォトダイオードアレイ（ＰＤＡ）検出器を用いたＨＰＬＣ分析装置について図面を参照して説明する。
【００１４】
図１は本実施例によるＨＰＬＣ分析装置の要部のブロック構成図、図２は本装置の特徴的な動作を説明するための概略タイミングチャートである。図１に示すように、このＨＰＬＣ分析装置は、溶離液（移動相）槽１、本発明における移動相供給部としての送液ポンプ２、本発明における試料注入部としてのオートサンプラ３、カラムオーブン４に内装された分離カラム５、ＰＤＡ検出器６、これら各部をそれぞれ制御するシステムコントローラ７、システムコントローラ７とＰＤＡ検出器６とを接続するイーサネット（登録商標）等のローカルネットワーク８と、を含む。送液ポンプ２、オートサンプラ３、カラムオーブン４はシステムコントローラ７とそれぞれ独立に直結され、その接続線を介して動作に必要な制御信号を授受する。
【００１５】
ＰＤＡ検出器６は本発明における検出部としてのデータ採取部６１、タイムスタンプ部６２、及び通信制御部６６を含み、タイムスタンプ部６２は機能ブロックとして、ＳＮＴＰクライアント機能部６３、本発明における第２時計としての内蔵時計６４、保持時間タイマ６５を含む。また、システムコントローラ７は、ＳＮＴＰサーバ機能部７２、本発明における第１時計としての内蔵時計７１、及び通信制御部７３を含む。
【００１６】
図１中では、ローカルネットワーク８上のシステムコントローラ７のノード７ａとＰＤＡ検出器６のノード６ａとの間にルータ１０が介挿されているが、これは本ＨＰＬＣ分析装置の一部ではなく、ネットワークシステムの構成上の都合で設置されているものである。したがって、このルータ１０は必ずしもこの位置に挿入されているとは限らず、ローカルネットワーク８上の他の位置に挿入されている場合もあれば、ルータ以外のブリッジ等の他の中継装置が挿入されている場合もある。つまり、ここでは、ノード７ａ、６ａ間の時間遅延要素の一例としてルータ１０を設けているに過ぎない。
【００１７】
また、この例では、ローカルネットワーク８には、ＨＰＬＣ分析装置により採取されたデータに対し所定の波形・演算処理を行ったり、そうしたデータを一元的に管理したりするための分析用ワークステーション９も接続されている。この分析用ワークステーション９の実体はパーソナルコンピュータであり、これに所定のアプリケーションソフトウエアがインストールされ、そのソフトウエアが実行されることでデータ処理や制御などが達成される。但し、分析用ワークステーション９も本発明に必須の要素ではなく、ここではＰＤＡ検出器６で取得されたデータを最終的に収集して保存しておく装置として分析用ワークステーション９を設けている。
【００１８】
上記構成のＨＰＬＣ分析装置の基本的な分析動作は次の通りである。システムコントローラ７の制御の下で送液ポンプ２は、溶離液槽１から吸引した溶離液を略一定流量で以てオートサンプラ３を介してカラム５へと流す。オートサンプラ３は所定のタイミングで試料液を溶離液中に注入する。この試料は溶離液に乗ってカラム５へと導入される。これとほぼ同時に、実際に試料注入を実行したことを示す信号がオートサンプラ３からシステムコントローラ７へと送られ、システムコントローラ７はこれに応じて検出データの収集開始を指示するためのデータ収集開始信号（本発明における試料注入信号）をローカルネットワーク８を介してＰＤＡ検出器６に送る。試料中の各成分がカラム５を通過する時間（保持時間）は成分によって異なるため、カラム５を通過する間に試料中の各成分は時間的に分離される。
【００１９】
ＰＤＡ検出器６においてデータ採取部６１は、データ収集開始信号を受けると、カラム５から溶出する試料成分に関する所定波長範囲の吸光度スペクトルを反映した光強度信号を順次検出し、この光強度信号をデジタルデータ（検出データ）に変換する。また、タイムスタンプ部６２は試料注入時を基準とする保持時間データを生成し、この保持時間データを検出データに付加する。保持時間データの付加された検出データは順次、或いは適宜まとめられて、ローカルネットワーク８を介して分析用ワークステーション９へと送出される。そして、検出データ及び保持時間データは分析用ワークステーション９のハードディスク等の記憶装置に格納される。分析用ワークステーション９には、各種データ解析のためのプログラムが格納されており、取得した検出データに対してそれらプログラムに従った解析処理を実行することにより波長、時間、信号強度の３つのディメンジョンを持つ３次元クロマトグラムを作成し、さらに試料に含まれる成分の定性分析や定量分析などを実行する。その結果は、分析用ワークステーション９が備えるディスプレイ（図示せず）の画面上に表示される。
【００２０】
図１に示すようにルータ１０等の中継装置がローカルネットワーク８に挿入されている場合、このローカルネットワーク８を介してシステムコントローラ７からＰＤＡ検出器６に伝送されるデータ収集開始信号には無視できない程度の時間遅延が生じることがある。そこで、本実施例のＨＰＬＣ分析装置では、このようなローカルネットワーク８を介した信号の時間遅延を補正して正確な保持時間データを検出データに付加できるような構成としている。以下、この遅延時間補正の処理動作について詳細に説明する。
【００２１】
まず、分析を行うに先立って、システムコントローラ７側の内蔵時計７１とタイムスタンプ部６２の内蔵時計６４との時刻合わせを実行する。ここでは、ローカルネットワーク８を介した時刻合わせにＳＮＴＰのプロトコルを利用しており、ＳＮＴＰサーバ機能部７２とＳＮＴＰクライアント機能部６３とが次のような手順で両者の内蔵時計７１、６４を同期させる。
【００２２】
まずＳＮＴＰサーバ機能部７２はＳＮＴＰクライアント機能部６３に対し、時刻同期処理を行う旨の指示を出す。この指示を受けたＳＮＴＰクライアント機能部６３は、ローカルネットワーク８を介してシステムコントローラ７に時刻合わせ要求コマンドを送信する。このとき、ＳＮＴＰクライアント機能部６３は時刻合わせ要求コマンド送出時における内蔵時計６４の時刻ｔp1を読み取り、これを内部メモリに一時的に記憶する。時刻合わせ要求コマンドは主としてルータ１０を通過する際に遅延してシステムコントローラ７に届く。
【００２３】
システムコントローラ７のＳＮＴＰサーバ機能部７２は時刻合わせ要求コマンドを受けると、すぐにそのコマンドを受け取った時刻ｔc1を内蔵時計７１から取得し、コマンド到着時刻として内部メモリに一時的に記憶する。その後に応答データを返信するための所定の処理を行い、先に内部メモリに記憶しておいたコマンド到着時刻ｔc1に加えて、応答データ送信時の時刻情報を内蔵時計７１から取得し、応答データ送信時刻ｔc2として応答データに含ませてＰＤＡ検出器６に送り返す。この応答データも主としてルータ１０を通過する際に遅延してＰＤＡ検出器６に届く。
【００２４】
ＳＮＴＰクライアント機能部６３はシステムコントローラ７からの応答データを受け取り、すぐにそのデータを受け取った時刻ｔp2を内蔵時計６４から取得して内部メモリに一時的に記憶する。また、応答データの内容からシステムコントローラ７におけるコマンド到着時刻ｔc1及び応答データ送信時刻ｔc2を認識する。すなわち、この時点で、ＳＮＴＰクライアント機能部６３の内部メモリには時刻情報ｔp1,ｔp2が記憶されており、また応答データにより時刻ｔc1,ｔc2が得られている。そこで、これらの時刻情報から、次式によってシステムコントローラ７の内蔵時計７１に対するタイムスタンプ部６２の内蔵時計６４の誤差Ｔeを計算する。
Ｔe＝｛(ｔc1−ｔp1)＋(ｔc2−ｔp2)｝/２
これは、ＰＤＡ検出器６側の内蔵時計６４とシステムコントローラ７側の内蔵時計７１との時間差を、ローカルネットワーク８を介した往路と復路の伝送遅延時間の平均によって補正することを意味する。この往路と復路の伝送遅延時間が等しいとの仮定の下では、両内蔵時計７１、６４が完全に同期していれば、（ｔc1-ｔp1）＝−（ｔc2-ｔp2）であり、誤差Ｔeはゼロとなる。
【００２５】
つまり、誤差Ｔeがゼロであるときには両内蔵時計７１、６４は同期していて時間補正の必要はない。一方、誤差Ｔeがゼロでない場合には、内蔵時計６４の現在時刻から誤差Ｔe分を差し引くことによって内蔵時計６４を内蔵時計７１に同期させるように修正することができる。但し、例えばローカルネットワーク８が一時的に混み合っている等の原因で往路と復路との伝送遅延時間に大きな差が生じると、それによって時刻合わせの精度が落ちる。そこで、上記処理を複数回繰り返し行うことによって時刻合わせの精度を高め、両内蔵時計７１、６４の誤差が十分に小さくなるようにする。
【００２６】
なお、こうした時刻同期処理はいつでも行うことができるが、実際に分析を行う際に両内蔵時計７１、６４の時刻のずれができるだけ小さいことが好ましいから、少なくとも分析開始の直前に時刻同期処理を実行するとよい。
【００２７】
実際に分析が開始されると、システムコントローラ７は予め設定された試料注入量等の分析条件データをオートサンプラ３へと送り、オートサンプラ３はこのデータに基づいて試料注入準備動作を実行する。そしてオートサンプラ３は、準備動作が終了すると所定のタイミングで溶離液中に試料液を注入する。同時にオートサンプラ３は実際に試料注入を行った旨を示す信号をシステムコントローラ７へと送り、これを受けてシステムコントローラ７は内蔵時計７１により試料注入時の時刻ｔinを取得する。そして、システムコントローラ７はこの時刻ｔinを示すデータを付加したデータ収集開始信号をローカルネットワーク８を介しＰＤＡ検出器６へと送る。このときにデータ収集開始信号は主としてルータ１０で時間遅延を生じてＰＤＡ検出器６に到達する。
【００２８】
いま、図２に示すような簡略化したタイムチャートを例に挙げて説明する。図２（ａ）及び（ｂ）はそれぞれシステムコントローラ７の内蔵時計７１及びタイムスタンプ部６２の内蔵時計６４が示す現在時刻である。上述したような時刻同期処理によって両者の示す時刻t0,t1,t2,…は一致している。
【００２９】
いま、時刻ｔ0においてオートサンプラ３により実際に試料が溶離液中に注入されると、システムコントローラ７からＰＤＡ検出器６に送られるデータ収集開始信号には時刻ｔ0を示すデータが付加される（厳密にはｔ0より若干遅れた時刻であるが、その遅れは無視できる程度であるのでここでは時刻ｔ0とする）。この信号がローカルネットワーク８上の伝送遅延によって、時刻ｔ4においてＰＤＡ検出器６に到達したものとする。ＰＤＡ検出器６においてタイムスタンプ部６２は、データ収集開始信号を受け取るとその時点での時刻を内蔵時計６４により取得する。このときの時刻はt4である（これについても厳密にはｔ4より若干遅れた時刻であるが、その遅れは無視できる程度であるのでここでは時刻ｔ4とする）。
【００３０】
現在時刻はｔ4であるのに対し、受け取ったデータ収集開始信号に付加されている時刻データが示す時刻はｔ0であるから、伝送途中でＴd＝ｔ4−ｔ0の時間遅延が生じていることが判る。すなわち、実際の試料注入は現時点からＴdだけ遡った時刻に実行されており、現時点は既に試料注入からＴdだけ経過してしまっていることになる。そこで、保持時間を計時するための保持時間タイマ６５をＴdに相当する時間、ここでは「４」だけゼロから進めた初期時間にセットし、この初期時間から時間の経過に従って計時を進める（図２（ｃ）参照）。ちなみに、従来の装置であれば、データ収集開始信号が得られた時点で保持時間タイマを一旦ゼロにリセットしてから計時を開始するので、保持時間タイマの計時は図２（ｄ）に示すようになる。この場合、保持時間タイマの計時は試料注入時をゼロとする真の保持時間からの乖離が大きい。また、分析開始時に偶然にネットワークの伝送遅延が大きくなると保持時間の再現性がなくなり、ピークの同定間違いが起こり得る。これに対し、本実施例の装置では、保持時間タイマ６５の計時は、常に実際の試料注入時をゼロとする真の保持時間とほぼ等しくなる。
【００３１】
ＰＤＡ検出器６においてデータ採取部６１は、上記データ収集開始信号を受けると吸光度スペクトルデータ、つまり検出データの収集を開始する。タイムスタンプ部６２は検出データが得られる毎に、保持時間タイマ６５による計時データを取得して検出データに付加することでタイムスタンプを実行する。こうしてタイムスタンプされた検出データは例えば適宜まとめてパケット化され、ローカルネットワーク８を介して分析用ワークステーション９へと送られる。この時点では検出データと保持時間データとは既に対応付けられているので、仮に分析用ワークステーション９へ伝送する際に遅延があっても何ら問題はない。分析用ワークステーション９ではこうした受け取ったデータを記憶装置に格納する。
【００３２】
なお、この実施例の構成では、時刻ｔ0〜ｔ4までの間で、ＰＤＡ検出器６ではデータが収集されないが、一般に、この時間は最も保持時間の短い成分がカラム５を通過して溶出してくる時間に比べると十分に短いので、実質的に問題となることはない。
【００３３】
上記実施例は本発明の一例であって、本発明の趣旨の範囲で適宜変形、修正、追加を行っても本発明に包含されることは明らかである。
【００３４】
例えば、上記実施例では、システムコントローラ７がオートサンプラ３を制御しており、システムコントローラ７がオートサンプラ３から出された信号を受けてデータ収集開始信号をローカルネットワーク８を介してＰＤＡ検出器６に送るようにしていたが、例えばオートサンプラ３などの各部がそれぞれ個別に制御部の機能を備えるとともにローカルネットワーク８に接続される構成としてもよい。また、タイムスタンプ部６２はＰＤＡ検出器６とは別に設けられ、例えばインテグレータ等のデータ収集装置に内蔵される構成であってもよい。さらにまた、ローカルネットワーク８上にＳＮＴＰサーバを設置するとともにシステムコントローラ７にはＳＮＴＰクライアント機能部を持たせ、システムコントローラ７の内蔵時計７１とＰＤＡ検出器６の内蔵時計６４の両方をＳＮＴＰサーバが持つ基準時計に対して同期させる構成としてもよい。
【図面の簡単な説明】
【００３５】
【図１】本発明の一実施例によるＨＰＬＣ分析装置の要部のブロック構成図。
【図２】本ＨＰＬＣ分析装置の特徴的な動作を説明するための概略タイミングチャート。
【符号の説明】
【００３６】
１…溶離液槽
２…送液ポンプ
３…オートサンプラ
４…カラムオーブン
５…分離カラム
６…ＰＤＡ検出器
６１…データ採取部
６２…タイムスタンプ部
６３…ＳＮＴＰクライアント機能部
６４…内蔵時計
６５…保持時間タイマ
６６…通信制御部
７…システムコントローラ
７１…内蔵時計
７２…ＳＮＴＰサーバ機能部
７３…通信制御部
８…ローカルネットワーク
【図１】
2005221405.tif 000003
【図２】
2005221405.tif 000004